(57)【特許請求の範囲】
【請求項１】
第一の種類の複数のチューナ部と、
第一の種類のチューナ部より少ない数の第二の種類のチューナ部と、
第一の種類のチューナ部のそれぞれに対応して同数設けられ、第一の種類のチューナ部出力又は第二の種類のチューナ部出力のうち選択されたいずれかの種類の出力をデコード可能なデコード部と、
第一の種類のチューナ部と、それに対応して設けられているデコード部と、を接続可能であるとともに、第二の種類のチューナ部のいずれかと、いずれかのデコード部と、を接続可能なセレクタ部と、
を有し、
第一の種類のチューナ部は、地上デジタルチューナ、ＢＳデジタルチューナ、ＣＳ１１０度デジタルチューナ、ＢＳ／ＣＳ１１０度デジタルチューナのいずれか一を備えるチューナ部であり、第二の種類のチューナ部は、地上デジタルチューナ、ＢＳデジタルチューナ、ＣＳ１１０度デジタルチューナ、ＢＳ／ＣＳ１１０度デジタルチューナのいずれか一であって第一の種類のチューナ部に備えるチューナ以外のチューナを備えるチューナ部である受信装置。
【請求項２】
前記デコード部は、デスクランブラとデコーダからなる請求項１に記載の受信装置。
【請求項３】
第一の種類の複数のチューナ部と、
第一の種類のチューナ部より少ない数の一以上の種類のチューナ部と、
第一の種類のチューナ部のそれぞれに対応して同数設けられ、全ての種類のチューナ部出力のうち選択されたいずれかの種類の出力をデコード可能なデコード部と、
第一の種類のチューナ部と、それに対応して設けられているデコード部と、を接続可能であるとともに、第一の種類以外の種類のチューナ部のいずれかと、いずれかのデコード部と、を接続可能なセレクタ部と、
を有し、
第一の種類のチューナ部は、地上デジタルチューナ、ＢＳデジタルチューナ、ＣＳ１１０度デジタルチューナ、ＢＳ／ＣＳ１１０度デジタルチューナのいずれか一を備えるチューナ部であり、第二の種類のチューナ部は、地上デジタルチューナ、ＢＳデジタルチューナ、ＣＳ１１０度デジタルチューナ、ＢＳ／ＣＳ１１０度デジタルチューナのいずれか一であって第一の種類のチューナ部に備えるチューナ以外のチューナを備えるチューナ部である受信装置。
【請求項４】
異なる２種類のデジタル放送に対する受信要求のうちのいずれか一の受信要求を受け付ける受信要求受付ステップと、
前記受信要求受付ステップにより受け付けた受信要求が第一の種類のデジタル放送であるか、第二の種類のデジタル放送であるかを判断する判断ステップと、
前記判断ステップでの判断結果が、第一の種類のデジタル放送との判断結果である場合には、第一の種類のデジタル放送を受信するためのチューナ部からの出力を、該チューナ部に１対１に対応して設けられたデコード部に接続する第一接続ステップと、
前記判断ステップでの判断結果が、第二の種類のデジタル放送との判断結果である場合には、第二の種類のデジタル放送を受信するためのチューナ部からの出力を、使用していないいずれかのデコード部に接続する第二接続ステップと、
からなり、
第一の種類のデジタル放送は、地上デジタル放送、ＢＳデジタル放送、ＣＳ１１０度デジタル放送、ＢＳ／ＣＳ１１０度デジタル放送のいずれか一であり、第二の種類のデジタル放送は、地上デジタル放送、ＢＳデジタル放送、ＣＳ１１０度デジタル放送、ＢＳ／ＣＳ１１０度デジタル放送のいずれか一であって第一の種類のデジタル放送以外のデジタル放送である受信装置の動作方法。
【請求項５】
第一の種類の複数のチューナ部と、
第一の種類のチューナ部より少ない数の第二の種類のチューナ部と、
第一の種類のチューナ部のそれぞれに対応して同数設けられ、第一の種類のチューナ部出力又は第二の種類のチューナ部出力のうち選択されたいずれかの種類の出力を記録媒体へ記録可能な形式へと変換する記録処理部と、
第一の種類のチューナ部と、それに対応して設けられている記録処理部と、を接続可能であるとともに、第二の種類のチューナ部のいずれかと、いずれかの記録処理部と、を接続可能なセレクタ部と、
を有し、
第一の種類のチューナ部は、地上デジタルチューナ、ＢＳデジタルチューナ、ＣＳ１１０度デジタルチューナ、ＢＳ／ＣＳ１１０度デジタルチューナのいずれか一を備えるチューナ部であり、第二の種類のチューナ部は、地上デジタルチューナ、ＢＳデジタルチューナ、ＣＳ１１０度デジタルチューナ、ＢＳ／ＣＳ１１０度デジタルチューナのいずれか一であって第一の種類のチューナ部が備えるチューナ以外のチューナを備えるチューナ部である記録再生装置。
【請求項６】
前記記録処理部は、デスクランブラを含む請求項５に記載の記録再生装置。
【請求項７】
第一の種類の複数のチューナ部と、
第一の種類のチューナ部より少ない数の一以上の種類のチューナ部と、
第一の種類のチューナ部のそれぞれに対応して同数設けられ、全ての種類のチューナ部出力のうち選択されたいずれかの種類の出力を記録媒体へ記録可能な形式へと変換する記録処理部と、
第一の種類のチューナ部と、それに対応して設けられている記録処理部と、を接続可能であるとともに、第一の種類以外の種類のチューナ部のいずれかと、いずれかの記録処理部と、を接続可能なセレクタ部と、
を有し、
第一の種類のチューナ部は、地上デジタルチューナ、ＢＳデジタルチューナ、ＣＳ１１０度デジタルチューナ、ＢＳ／ＣＳ１１０度デジタルチューナのいずれか一を備えるチューナ部であり、第二の種類のチューナ部は、地上デジタルチューナ、ＢＳデジタルチューナ、ＣＳ１１０度デジタルチューナ、ＢＳ／ＣＳ１１０度デジタルチューナのいずれか一であって第一の種類のチューナ部が備えるチューナ以外のチューナを備えるチューナ部である記録再生装置。
【請求項８】
異なる２種類のデジタル放送に対するデジタル放送の受信要求のうちのいずれか一の受信要求を受け付ける受信要求受付ステップと、
前記受信要求受付ステップにより受け付けた受信要求が第一の種類のデジタル放送であるか、第二の種類のデジタル放送であるかを判断する判断ステップと、
前記判断ステップでの判断結果が、第一の種類のデジタル放送との判断結果である場合には、第一の種類のデジタル放送を受信するためのチューナ部からの出力を、該チューナ部に１対１に対応して設けられた記録処理部に接続する第一接続ステップと、
前記判断ステップでの判断結果が、第二の種類のデジタル放送との判断結果である場合には、第二の種類のデジタル放送を受信するためのチューナ部からの出力を、使用していないいずれかの記録処理部に接続する第二接続ステップと、
からなり、
第一の種類のデジタル放送は、地上デジタル放送、ＢＳデジタル放送、ＣＳ１１０度デジタル放送、ＢＳ／ＣＳ１１０度デジタル放送のいずれか一であり、第二の種類のデジタル放送は、地上デジタル放送、ＢＳデジタル放送、ＣＳ１１０度デジタル放送、ＢＳ／ＣＳ１１０度デジタル放送のいずれか一であって第一の種類のデジタル放送以外のデジタル放送である記録再生装置の動作方法。
【発明の詳細な説明】
【技術分野】
【０００１】
本発明は、複数のチューナを搭載する受信装置及び記録再生装置の技術に関する。
【背景技術】
【０００２】
近年、動画像圧縮技術の向上、記録媒体の低価格化・大容量化、ＣＰＵの高速化などに伴い、チューナを複数搭載することにより複数番組の同時視聴または同時記録を可能とした受信装置、記録再生装置が数多く製品化されている。現在では、地上アナログチューナを２つ搭載したもの、あるいは、地上デジタルチューナとＢＳ／ＣＳ１１０度デジタルチューナをそれぞれ２つずつ搭載した製品が主流であり、これらのチューナの組み合わせの中から２番組の同時視聴あるいは同時記録を行う機能を備えているものが多い。
【０００３】
図８は地上デジタルチューナとＢＳ／ＣＳ１１０度デジタルチューナをそれぞれ２つずつ搭載した受信装置のハードウェア構成を示すブロック図である。この装置は、地上デジタルチューナであるチューナ部ＡとＢＳ／ＣＳ１１０度デジタルチューナであるチューナ部Ｂとを１つの組として２組備え、それぞれの組には対応するセレクタ部とデコード部を有している。このような構成とすることで、例えば異なる２つのチャンネルの地上デジタル放送を受信して録画したり、地上デジタル放送とＢＳデジタル放送を受信して録画したりすることが可能である。また、このようなチューナを追加・変更して複数のデジタル放送を受信する技術が開示されている（例えば、特許文献１）。
【０００４】
しかし、チューナを多数搭載した場合には、部品点数や基板面積の増加によりコストの増加、あるいは消費電力の増加といった問題が生じる。また、これらの問題を解消すべく、チューナを一つ減らした図９に示すような構造とした受信装置が考えられる。図９は、図８に示す受信装置の構成からＢＳ／ＣＳ１１０度デジタルチューナであるチューナＢを１つ減らした構成の受信装置を示す。
【特許文献１】特開２０００−３５４２０７号公報
【発明の開示】
【発明が解決しようとする課題】
【０００５】
しかしながら、図９に示す構成をとる受信装置において、ＢＳ／ＣＳ１１０度デジタル放送と地上デジタル放送を同時に視聴する場合について不都合が生じる場合がある。図９に示す構成をとる受信装置において、誤って、ＢＳ／ＣＳ１１０度デジタルチューナ（チューナ部Ｂ）が接続されているデコード部にて地上デジタルチューナ（チューナ部Ａ）を使用して地上デジタル放送の視聴を開始してしまった場合、チューナ部Ｂとデコード部が１つずつ空いているにもかかわらず、チューナ部Ｂにて受信した放送を視聴することができないという課題がある。チューナの種類がさらに多い場合についても同様の課題が発生する。
【０００６】
また、図９に示すデコード部を記録処理部に置き換えた記録再生装置の場合にも、同様の課題が発生し、チューナ部と記録処理部が１つずつ空いているにもかかわらず、チューナ部にて受信した放送を記録することができないという課題がある。
【課題を解決するための手段】
【０００７】
上記課題を解決するために、第一発明では第一の種類の複数のチューナ部と、第一の種類のチューナ部より少ない数の第二の種類のチューナ部と、第一の種類のチューナ部のそれぞれに対応して同数設けられ、第一の種類のチューナ部出力又は第二の種類のチューナ部出力のうち選択されたいずれかの種類の出力をデコード可能なデコード部と、第一の種類のチューナ部と、それに対応して設けられているデコード部と、を接続可能であるとともに、第二の種類のチューナ部のいずれかと、いずれかのデコード部と、を接続可能なセレクタ部と、を有する受信装置を提案する。
【０００８】
第二発明では、第一発明に記載の受信装置であって、前記デコード部は、デスクランブラとデコーダからなる受信装置を提案する。
【０００９】
第三発明では、第一発明又は第二発明に記載の受信装置であって、第一の種類のチューナ部は、地上デジタルチューナ、ＢＳデジタルチューナ、ＣＳ１１０度デジタルチューナ、ＢＳ／ＣＳ１１０度デジタルチューナのいずれか一を備えるチューナ部であり、第二の種類のチューナ部は、地上デジタルチューナ、ＢＳデジタルチューナ、ＣＳ１１０度デジタルチューナ、ＢＳ／ＣＳ１１０度デジタルチューナのいずれか一であって第一の種類のチューナ部に備えるチューナ以外のチューナを備えるチューナ部である受信装置を提案する。
【００１０】
第四発明では、第一の種類の複数のチューナ部と、第一の種類のチューナ部より少ない数の一以上の種類のチューナ部と、第一の種類のチューナ部のそれぞれに対応して同数設けられ、全ての種類のチューナ部出力のうち選択されたいずれかの種類の出力をデコード可能なデコード部と、第一の種類のチューナ部と、それに対応して設けられているデコード部と、を接続可能であるとともに、第一の種類以外の種類のチューナ部のいずれかと、いずれかのデコード部と、を接続可能なセレクタ部と、を有する受信装置を提案する。
【００１１】
第五発明では、異なる２種類のデジタル放送に対する受信要求のうちのいずれか一の受信要求を受け付ける受信要求受付ステップと、前記受信要求受付ステップにより受け付けた受信要求が第一の種類のデジタル放送であるか、第二の種類のデジタル放送であるかを判断する判断ステップと、前記判断ステップでの判断結果が、第一の種類のデジタル放送との判断結果である場合には、第一の種類のデジタル放送を受信するためのチューナ部からの出力を、該チューナ部に１対１に対応して設けられたデコード部に接続する第一接続ステップと、前記判断ステップでの判断結果が、第二の種類のデジタル放送との判断結果である場合には、第二の種類のデジタル放送を受信するためのチューナ部からの出力を、使用していないいずれかのデコード部に接続する第二接続ステップと、からなる受信装置の動作方法を提案する。
【００１２】
第六発明では、第一の種類の複数のチューナ部と、第一の種類のチューナ部より少ない数の第二の種類のチューナ部と、第一の種類のチューナ部のそれぞれに対応して同数設けられ、第一の種類のチューナ部出力又は第二の種類のチューナ部出力のうち選択されたいずれかの種類の出力を記録媒体へ記録可能な形式へと変換する記録処理部と、第一の種類のチューナ部と、それに対応して設けられている記録処理部と、を接続可能であるとともに、第二の種類のチューナ部のいずれかと、いずれかの記録処理部と、を接続可能なセレクタ部と、を有する記録再生装置を提案する。
【００１３】
第七発明では、第六発明に記載の記録再生装置であって、前記記録処理部は、デスクランブラを含む記録再生装置を提案する。
【００１４】
第八発明では、第六発明又は第七発明に記載の記録再生装置であって、第一の種類のチューナ部は、地上デジタルチューナ、ＢＳデジタルチューナ、ＣＳ１１０度デジタルチューナ、ＢＳ／ＣＳ１１０度デジタルチューナのいずれか一を備えるチューナ部であり、第二の種類のチューナ部は、地上デジタルチューナ、ＢＳデジタルチューナ、ＣＳ１１０度デジタルチューナ、ＢＳ／ＣＳ１１０度デジタルチューナのいずれか一であって第一の種類のチューナ部が備えるチューナ以外のチューナを備えるチューナ部である記録再生装置を提案する。
【００１５】
第九発明では、第一の種類の複数のチューナ部と、第一の種類のチューナ部より少ない数の一以上の種類のチューナ部と、第一の種類のチューナ部のそれぞれに対応して同数設けられ、全ての種類のチューナ部出力のうち選択されたいずれかの種類の出力を記録媒体へ記録可能な形式へと変換する記録処理部と、第一の種類のチューナ部と、それに対応して設けられている記録処理部と、を接続可能であるとともに、第一の種類以外の種類のチューナ部のいずれかと、いずれかの記録処理部と、を接続可能なセレクタ部と、を有する記録再生装置を提案する。
【００１６】
第十発明では、異なる２種類のデジタル放送に対するデジタル放送の受信要求のうちのいずれか一の受信要求を受け付ける受信要求受付ステップと、前記受信要求受付ステップにより受け付けた受信要求が第一の種類のデジタル放送であるか、第二の種類のデジタル放送であるかを判断する判断ステップと、前記判断ステップでの判断結果が、第一の種類のデジタル放送との判断結果である場合には、第一の種類のデジタル放送を受信するためのチューナ部からの出力を、該チューナ部に１対１に対応して設けられた記録処理部に接続する第一接続ステップと、前記判断ステップでの判断結果が、第二の種類のデジタル放送との判断結果である場合には、第二の種類のデジタル放送を受信するためのチューナ部からの出力を、使用していないいずれかの記録処理部に接続する第二接続ステップと、からなる記録再生装置の動作方法を提案する。
【発明の効果】
【００１７】
以上のような構成をとる本発明の受信装置では、デコード部あるいは記録処理部の数に対応する数だけの異なるチューナ部の組を作らなくとも、複数のデジタル放送を同時視聴あるいは同時録画する場合において、デコード部あるいは記録処理部の資源を有効に活用することができる。このため、デコード部あるいは記録処理部の数に対応する数だけの異なるチューナ部の組を作る場合とほぼ同様の機能を保持しつつ、チューナ部を削減することによる製造工程の削減効果、コスト削減効果が期待できる。
【発明を実施するための最良の形態】
【００１８】
本発明を実施するための最良の形態について図面を用いて詳細に説明する。なお、本発明はこれら実施の形態に何ら限定されるものではなく、その要旨を逸脱しない範囲において、種々なる態様で実施しうる。なお、以下の実施形態と請求項の関係は次の通りである。実施形態１は請求項１、２、４などについて説明する。実施形態２は請求項３などについて説明する。実施形態３は請求項５、６、８などについて説明する。実施形態４は請求項７などについて説明する。
【００１９】
≪実施形態１≫（実施形態１の構成）実施形態１について説明する。図１に本実施形態にかかる受信装置の機能ブロック図の一例を示す。本実施形態にかかる受信装置（０１００）は、「第一の種類のチューナ部」（０１０１：図１中「チューナ部Ａ」と示す）と、「第二の種類のチューナ部」（０１０２：図１中「チューナ部Ｂ」と示す）と、「デコード部」（０１０３）と、「セレクタ部」（０１０４）とからなる。
【００２０】
なお、本件発明の構成要素である各部は、ハードウェア、ソフトウェア、ハードウェアとソフトウェアの両方のいずれかなどによって構成される。例えば、これらを実現する一例として、一部にコンピュータなどを利用する場合には、ＣＰＵ、バス、メモリ、インターフェース、周辺装置などで構成されるハードウェアと、それらハードウェア上で実行可能なソフトウェアがある。ソフトウェアとしては、メモリ上に展開されたプログラムを順次実行することで、メモリ上のデータや、インターフェースを介して入力されるデータの加工、保存、出力などにより各部の機能が実現される。（明細書の全体を通じて同様である。）
【００２１】
（実施形態１の構成の説明）「第一の種類のチューナ部」（０１０１）は、地上デジタル放送、ＢＳデジタル放送、ＣＳ１１０度デジタル放送を受信するためのチューナなどにて構成されている。これらをそれぞれ、地上デジタルチューナ、ＢＳデジタルチューナ、ＣＳ１１０度デジタルチューナという。なお、ＢＳデジタル放送とＣＳ１１０度デジタル放送は、変調方式が同一であることから、１つのチューナで上記２つの放送を受信することも可能な機器も存在する。従って、前記チューナは、２つの放送を受信することが可能なＢＳ／ＣＳ１１０度デジタルチューナであっても良い。なお、図１に示すように、第一の種類のチューナ部は、これらいずれかのチューナとデモジュレータなどからなる。
【００２２】
第一の種類のチューナ部の数は、後記するデコード部の数と同じ数とし、第一の種類のチューナ部はセレクタ部を介してチューナ部と１対１に対応して接続される。従って、第一の種類のチューナ部からの放送データは、対応したデコード部へ出力される。
【００２３】
「第二の種類のチューナ部」（０１０２）は、第一の種類のチューナ部にて受信するデジタル放送以外のデジタル放送を受信するためのチューナなどにて構成されている。例えば、第一の種類のチューナ部が地上デジタルチューナなどにて構成されている場合には、第二の種類のチューナ部は、ＢＳ／ＣＳ１１０度デジタルチューナなどにて構成される。図１に示すように、第二の種類のチューナ部もチューナとデモジュレータなどからなる。
【００２４】
第二の種類のチューナ部の数は、第一の種類のチューナ部より少ない数とする。従って、より頻繁に視聴するデジタル放送を受信可能なチューナを第一の種類のチューナ部に備えることが望ましい。また、第二の種類のチューナ部は、それぞれ後記する全てのセレクタ部と接続される。従って、第二の種類のチューナ部からの放送データは、複数のデコード部の中から使用していないいずれかのデコード部を選択して出力することができる。
【００２５】
このように第二の種類のチューナ部の数を第一の種類のチューナ部よりも少ない数とすることで、次のような事態が生じうる。例えば、第一の種類のチューナ部を５個、第二の種類のチューナ部を３個、デコード部を５個備えた受信装置について説明する。この受信装置では、第一の種類のチューナ部にて選局されるデジタル放送は、５種類の番組までを同時視聴、同時録画することができる。一方、第二の種類のチューナ部にて選局されるデジタル放送は、３種類の番組までしか同時視聴、同時録画することができない。しかし、例えば、ユーザーが第一の種類のチューナ部にて選局されるデジタル放送を視聴する頻度が７０％であり、第二の種類のチューナ部にて選局されるデジタル放送を視聴する頻度が３０％である場合などは、ユーザーは第一の種類のチューナ部を利用してデジタル放送を視聴する割合が高いため、第二の種類のチューナ部が第一の種類のチューナ部よりも少ないことにより不便を感じることは少ない。
【００２６】
「デコード部」（０１０３）は、第一の種類のチューナ部のそれぞれに対応して同数設けられ、第一の種類のチューナ部出力または第二の種類のチューナ部出力のうち選択されたいずれかの種類の出力をデコードできるように構成されている。デコード部には、第一の種類のチューナ部から出力される放送データと、第二の種類のチューナ部から出力される放送データとの両者の放送データをデコード可能なデコーダを備える。従って、セレクタ部にて第一の種類のチューナ部出力と第二の種類のチューナ部出力との、いずれかの種類の出力であってもデコードすることが可能である。なお、デコード部は、図１に示すように、デコーダ（０１０６）と、デスクランブラ（０１０５）などからなる。
【００２７】
「セレクタ部」（０１０４）は、第一の種類のチューナ部と、それに対応して設けられているデコード部と、を接続可能であるとともに、第二の種類のチューナ部のいずれかと、いずれかのデコード部と、を接続可能に構成されている。
【００２８】
例えば、図２に示すように、第一の種類のチューナ部Ａ１あるいはチューナ部Ａ２からの出力を受けた場合には、セレクタ部１あるいはセレクタ部２は、それぞれ対応して設けられているデコード部１あるいはデコード部２とを接続する。チューナ部Ａ１とデコード部１、チューナ部Ａ２とデコード部２が接続された状態にて、第二の種類のチューナ部Ｂ１からの出力を受けた場合には、チューナ部Ｂ１は使用していないデコード部３に出力するように、セレクタ部３はチューナ部Ｂ１とデコード部３を選択して接続することができる。
【００２９】
（実施形態１の処理の流れ）図３に実施形態１の受信装置の処理の流れを示す。図３に示すように、本実施形態の受信装置では、まず、異なる２種類のデジタル放送に対する受信要求のうちのいずれか一の受信要求を受け付ける（Ｓ０３０１：受信要求受付ステップ）。受信要求受付ステップでは、全てのデコード部が使用中であれば、いずれの種類のデジタル放送に対する受信要求も受け付けることができない。使用していないデコード部が存在する場合には、ユーザーから視聴要求されているデジタル放送が第一の種類のデジタル放送であるか、第二の種類のデジタル放送であるかを判断する（Ｓ０３０２：判断ステップ）。
【００３０】
判断ステップでの判断結果が、第一の種類のデジタル放送との判断結果である場合には、第一の種類のデジタル放送を受信するためのチューナ部と、該チューナ部に１対１に対応して設けられたデコード部とを接続する（Ｓ０３０３：第一接続ステップ）。このようにして、チューナ部とデコード部が接続されると、ユーザーは、第一の種類のデジタル放送の選局が可能となり、ユーザーが特定のチャンネルを選局する（Ｓ０３０５）と、デコードを開始して、選局したチャンネルの番組を視聴することができる（Ｓ０３０６）。
【００３１】
一方、判断ステップでの判断結果が、第二の種類のデジタル放送との判断結果である場合には、第二の種類のデジタル放送を受信するためのチューナ部と、使用していないいずれかのデコード部とを接続する（Ｓ０３０４：第二接続ステップ）。このようにして、チューナ部とデコード部が接続されると、上記と同様に、ユーザーは、第二の種類のデジタル放送の選局が可能となり、ユーザーが特定のチャンネルを選局する（Ｓ０３０５）と、デコードを開始して、選局したチャンネルの番組を視聴することができる（Ｓ０３０６）。
【００３２】
（実施形態１の効果）本実施形態にかかる受信装置は、デコード部の数に対応する数だけの異なるチューナ部の組を作らなくとも、複数のデジタル放送を同時視聴する場合において、デコード部の資源を有効に活用することができる。このため、デコード部の数に対応する数だけの異なるチューナ部の組を作る場合とほぼ同様の機能を保持しつつ、チューナ部を削減することによる製造工程の削減効果、コスト削減効果が期待できる。
【００３３】
≪実施形態２≫（実施形態２の構成）実施形態２について説明する。図４に本実施形態にかかる受信装置の機能ブロック図の一例を示す。本実施形態にかかる受信装置（０４００）は、実施形態１を基本とし、「第一の種類のチューナ部」（０４０１：図４中「チューナ部Ａ」と示す）と、「デコード部」（０４０３）と、「セレクタ部」（０４０４）とを有する。これらの構成については実施形態１にて説明済みであるため説明を省略する。本実施形態にかかる受信装置は、さらに、「第一の種類のチューナ部より少ない数の一以上の種類のチューナ部」（０４０２：図４中「チューナＢ」及び「チューナ部Ｃ」と示す）を有することを特徴とする。
【００３４】
（実施形態２の構成の説明）「第一の種類のチューナ部より少ない数の一以上の種類のチューナ部」（０４０２：以下、「他のチューナ部」という）は、第一の種類のチューナ部にて受信するデジタル放送以外のデジタル放送を受信するためのチューナなどにて構成されている。例えば、第一の種類のチューナ部が地上デジタルチューナなどにて構成されている場合には、他のチューナ部はＢＳデジタルチューナや、ＣＳ１１０度デジタルチューナ、上記２つのデジタル放送を受信するためのＢＳ／ＣＳ１１０度デジタルチューナなどで構成される。図４に示すように、他のチューナ部はチューナの他にデモジュレータなどを備えてもよい。
【００３５】
他のチューナ部の種類は、図４に示すように、２種類としても良いし、それ以上の種類数としても良い。また、他のチューナ部の数は、第一の種類のチューナ部より少ない数とする。しかし、種類ごとの他のチューナ部の数は、異なる数としても良い。例えば、使用する頻度が少ないと予想される種類のチューナ部の数よりも、使用する頻度が多いと予想される種類のチューナ部の数を多くすることとしても良い。
【００３６】
また、他のチューナ部は、それぞれ全てのセレクタ部と接続される。従って、他のチューナ部からの放送データは、複数のデコード部の中から使用していないいずれかのデコード部を選択して出力することができる。
【００３７】
本実施形態における「セレクタ部」（０４０４）は、実施形態１のセレクタ部の機能に加えて、第一の種類のチューナ部と、それに対応して設けられているデコード部と、を接続可能であるとともに、他のチューナ部のいずれかと、いずれかのデコード部と、を接続可能に構成されている。
【００３８】
（実施形態２の効果）本実施形態にかかる受信装置は、実施形態１に記載の効果に加え、チューナ部の種類が２種類以上の場合であっても、デコード部の資源を有効に活用することができる。
【００３９】
≪実施形態３≫（実施形態３の構成）実施形態３について説明する。図５に本実施形態にかかる記録再生装置の機能ブロック図の一例を示す。本実施形態にかかる記録再生装置（０５００）は、「第一の種類のチューナ部」（０５０１：図５中「チューナ部Ａ」と示す）と、「第二の種類のチューナ部」（０５０２：図５中「チューナ部Ｂ」と示す）と、「記録処理部」（０５０３）と、「セレクタ部」（０５０４）とからなる。「記録処理部」以外の構成については、実施形態１にて説明済みであるため、説明を省略する。
【００４０】
（実施形態３の構成の説明）「記録処理部」（０５０３）は、第一の種類のチューナ部のそれぞれに対応して同数設けられ、第一の種類のチューナ部出力又は第二の種類のチューナ部出力のうち選択されたいずれかの種類の出力を記録媒体へ記録可能な形式へと変換するように構成されている。より具体的には、記録処理部では、チューナ部出力によるデータを、ストリームパケットのフィルタリング、挿入等、記録媒体に記録できる形式に変換する。なお、記録処理部には、図５に示すように、デスクランブラ（０５０５）などを備えても良い。
【００４１】
記録処理部にて変換されたデータは、図５に示すようにストリーム制御部（０５０６）にてデータを格納する記録媒体のアドレスなどが付加されて、記録媒体（０５０７）に記録される。
【００４２】
また、本実施形態における第一の種類のチューナ部の数は、記録処理部の数と同じ数とし、第一の種類のチューナ部はセレクタ部を介して記録処理部と１対１に対応して接続される。従って、第一の種類のチューナ部からの放送データは、対応した記録処理部へ出力される。
【００４３】
本実施形態にかかる「セレクタ部」（０５０４）は、第一の種類のチューナ部と、それに対応して設けられている記録処理部と、を接続可能であるとともに、第二の種類のチューナ部のいずれかと、いずれかの記録処理部と、を接続可能に構成されている。
【００４４】
（実施形態３の処理の流れ）図６に実施形態３の記録再生装置の処理の流れを示す。図６に示すように、本実施形態の記録再生装置では、まず、異なる２種類のデジタル放送に対する受信要求のうちのいずれか一の受信要求を受け付ける（Ｓ０６０１：受信要求受付ステップ）。受信要求受付ステップでは、全ての記録処理部が使用中であれば、いずれの種類のデジタル放送であっても記録することができないので、受信要求も受け付けることができない。使用していない記録処理部が存在する場合には、ユーザーから受信要求されているデジタル放送が第一の種類のデジタル放送であるか、第二の種類のデジタル放送であるかを判断する（Ｓ０６０２：判断ステップ）。
【００４５】
判断ステップでの判断結果が、第一の種類のデジタル放送との判断結果である場合には、第一の種類のデジタル放送を受信するためのチューナ部と、該チューナ部に１対１に対応して設けられた記録処理部とを接続する（Ｓ０６０３：第一接続ステップ）。このようにして、チューナ部と記録処理部が接続されると、ユーザーは、第一の種類のデジタル放送の選局が可能となり、ユーザーが特定のチャンネルを選局する（Ｓ０６０５）と、選局したチャンネルの番組を記録媒体に記録することができる（Ｓ０６０６）。
【００４６】
一方、判断ステップでの判断結果が、第二の種類のデジタル放送との判断結果である場合には、第二の種類のデジタル放送を受信するためのチューナ部からの出力を、使用していないいずれかの記録処理部に接続する（Ｓ０６０４：第二接続ステップ）。このようにして、チューナ部と記録処理部が接続されると、上記と同様に、ユーザーは、第二の種類のデジタル放送の選局が可能となり、ユーザーが特定のチャンネルを選局する（Ｓ０６０５）と、選局したチャンネルの番組を記録媒体に記録することができる（Ｓ０６０６）。
【００４７】
（実施形態３の効果）本実施形態にかかる受信装置は、記録処理部の数に対応する数だけの異なるチューナ部の組を作らなくとも、複数のデジタル放送を同時録画する場合において、記録処理部の資源を有効に活用することができる。このため、記録処理部の数に対応する数だけの異なるチューナ部の組を作る場合とほぼ同様の機能を保持しつつ、チューナ部を削減することによる製造工程の削減効果、コスト削減効果が期待できる。
【００４８】
≪実施形態４≫（実施形態４の構成）実施形態４について説明する。図７に本実施形態にかかる受信装置の機能ブロック図の一例を示す。本実施形態にかかる受信装置（０７００）は、実施形態３を基本とし、「第一の種類のチューナ部」（０７０１：図７中「チューナ部Ａ」と示す）と、「第一の種類のチューナ部より少ない数の一以上の種類のチューナ部」（０７０２：図７中「チューナＢ」及び「チューナ部Ｃ」と示す）と、「記録処理部」（０７０３）と、「セレクタ部」（０７０４）とを有する。これらの構成については実施形態１から３にて説明済みであるため説明を省略する。
【００４９】
（実施形態４の構成の説明）本実施形態における「セレクタ部」（０７０４）は、実施形態３のセレクタ部の機能に加えて、第一の種類のチューナ部とそれに対応して設けられている記録処理部を接続可能であるとともに、他のチューナ部のいずれかと、いずれかの記録処理部を接続可能に構成されている。
【００５０】
（実施形態４の効果）本実施形態にかかる受信装置は、実施形態３に記載の効果に加え、チューナ部の種類が２種類以上の場合であっても、記録処理部の資源を有効に活用することができる。
【図面の簡単な説明】
【００５１】
【図１】実施形態1の機能ブロック図
【図２】チューナ部とデコード部の接続方法を説明する図
【図３】実施形態１の処理の流れを表す図
【図４】実施形態２の機能ブロック図
【図５】実施形態３の機能ブロック図
【図６】実施形態３の処理の流れを表す図
【図７】実施形態４の機能ブロック図
【図８】従来技術におけるチューナ部とデコード部の接続方法を表す図（１）
【図９】従来技術におけるチューナ部とデコード部の接続方法を表す図（２）
【符号の説明】
【００５２】
０１００      受信装置
０１０１      第一の種類のチューナ部
０１０２      第二の種類のチューナ部
０１０３      デコード部
０１０４      セレクタ部
０１０５      デスクランブラ
０１０６      デコーダ
【図１】
0004551857.tif 000002
【図２】
0004551857.tif 000003
【図３】
0004551857.tif 000004
【図４】
0004551857.tif 000005
【図５】
0004551857.tif 000006
【図６】
0004551857.tif 000007
【図７】
0004551857.tif 000008
【図８】
0004551857.tif 000009
【図９】
0004551857.tif 000010